(57)【要約】【課題】ユーザが意識的にユーザ情報を入力しなくとも利用者情報を考慮した情報を提供する。【解決手段】本発明は、ユーザが発生した音声を取得し、音声を、音声認識のための情報が格納された音声認識データベースを参照してテキストをキーワードとして抽出し、利用者情報が格納された利用者情報データベースを参照して前記音声を分析し、利用者情報を抽出し、抽出された前記キーワードと前記利用者情報に基づいて、メタデータが付与された情報データベースを検索し、検索された結果を出力する。【選択図】図１
2009271785.tif 000002
【特許請求の範囲】
【請求項１】
入力された検索式に基づいて情報を検索して提供するための情報提供方法であって、
音声入力手段が、ユーザが発生した音声を取得し、
音声認識手段が、前記音声を、音声認識のための情報が格納された音声認識データベースを参照してテキストをキーワードとして抽出し、
音声分析手段が、利用者情報が格納された利用者情報データベースを参照して前記音声を分析し、利用者情報を抽出し、
検索手段が、抽出された前記キーワードと前記利用者情報に基づいて、メタデータが付与された情報データベースを検索し、
情報提示手段が、検索された結果を出力する
ことを特徴とする情報提供方法。
【請求項２】
入力された検索式に基づいて情報を検索して提供するための情報提供装置であって、
ユーザが発生した音声を取得する音声入力手段と、
前記音声を、音声認識のための情報が格納された音声認識データベースを参照してテキストをキーワードとして抽出する発話内容テキスト化手段と、
利用者情報が格納された利用者情報データベースを参照して前記音声を分析し、利用者情報を抽出する利用者情報抽出手段と、
抽出された前記キーワードと前記利用者情報に基づいて、メタデータが付与された情報データベースを検索する情報検索手段と、
前記情報検索手段により検索された結果を出力する情報提示手段と、
を有することを特徴とする情報提供装置。
【請求項３】
請求項２記載の情報提供装置を構成する各手段としてコンピュータを機能させるための情報提供プログラムを格納したことを特徴とするコンピュータ読み取り可能な記録媒体。
【発明の詳細な説明】
【技術分野】
【０００１】
本発明は、情報提供方法及び装置及びコンピュータ読み取り可能な記録媒体に係り、特に、音声入力を利用して、検索キーワードと、ユーザのプロファイルやシチュエーション（以下、利用者情報と呼ぶ）を取得し、それらを検索クエリとして、メタデータが付与されたデータベースから、ユーザに情報を提供するための情報提供方法及び装置及びコンピュータ読み取り可能な記録媒体に関する。
【背景技術】
【０００２】
図６は、従来技術の情報検索装置の例を示す。同図に示すように、ユーザから与えられたキーワードと、予め蓄積されたユーザの利用者情報（性別、年代等）を鑑みて、これらを検索クエリとし、メタデータによる情報検索部３においてメタデータが付与されたデータベース４からユーザの入力条件合致した情報を検索し、その検索結果を提供する技術は報告されている（例えば、特許文献1参照）。
【０００３】
また、入力を音声にする方法も報告されている（例えば、特許文献２参照）。
【特許文献１】特開２００３−２８１１７８号公報
【特許文献２】特許第３６８３５０４号公報
【発明の開示】
【発明が解決しようとする課題】
【０００４】
しかしながら、上記の従来の利用者情報を考慮した情報提供技術は、ユーザが利用者情報を予め登録する、もしくは、入力するものが利用者情報であることを明示するなど、ユーザが自分自身で意識的に入力する必要があり、ユーザの負担が大きいという問題がある。
【０００５】
本発明は、上記の点に鑑みなされたもので、ユーザが意識的にユーザ情報を入力しなくとも利用者情報を考慮した情報を提供することが可能な情報提供方法及び装置及びコンピュータ読み取り可能な記録媒体を提供することを目的とする。
【課題を解決するための手段】
【０００６】
図１は、本発明の原理を説明するための図である。
【０００７】
本発明（請求項１）は、入力された検索式に基づいて情報を検索して提供するための情報提供方法であって、
音声入力手段が、ユーザが発生した音声を取得し（ステップ１）、
音声認識手段が、音声を、音声認識のための情報が格納された音声認識データベースを参照してテキストをキーワードとして抽出し（ステップ２）、
音声分析手段が、利用者情報が格納された利用者情報データベースを参照して音声を分析し、利用者情報を抽出し（ステップ３）、
検索手段が、抽出されたキーワードと利用者情報に基づいて、メタデータが付与された情報データベースを検索し（ステップ４）、
情報提示手段が、検索された結果を出力する（ステップ５）。
【０００８】
図２は、本発明の原理構成図である。
【０００９】
本発明（請求項２）は、入力された検索式に基づいて情報を検索して提供するための情報提供装置であって、
ユーザが発生した音声を取得するキーワード入力手段１０と、
音声を、音声認識のための情報が格納された音声認識データベース３０を参照してテキストをキーワードとして抽出する発話内容テキスト化手段２０と、
利用者情報が格納された利用者情報データベース５０を参照して音声を分析し、利用者情報を抽出する利用者情報抽出手段４０と、
抽出されたキーワードと利用者情報に基づいて、メタデータが付与された情報データベース７０を検索する情報検索手段６０と、
情報検索手段６０により検索された結果を出力する情報提示手段８０と、を有する。
【００１０】
本発明（請求項３）は、請求項２記載の情報提供装置を構成する各手段としてコンピュータを機能させるための情報提供プログラムを格納したコンピュータ読み取り可能な記録媒体である。
【発明の効果】
【００１１】
上記のように本発明によれば、音声でキーワードを入力すると、音声認識によりキーワードが決まり、また一方で、音声分析を行い、利用者プロファイル（性別、年代など）を決定する。これにより検索キーワードと利用者プロファイルが準備されたことにより、従来技術を用いた情報検索を行うことで、容易に利用者プロファイルの作成、検索を容易に行うことができる。
【００１２】
また、情報提供者は、広告配信など、ユーザのターゲットを絞って情報を提供することができ、効率的である。
【発明を実施するための最良の形態】
【００１３】
以下、図面と共に本発明の実施の形態を説明する。
【００１４】
図３は、本発明の一実施の形態における装置構成を示す。
【００１５】
同図に示す情報提供装置は、音声によるキーワード入力部（以下、「キーワード入力部」と記す）１０、音声認識部２０、音声認識ＤＢ３０，音声分析部４０、利用者情報ＤＢ５０，メタデータによる情報検索部６０、メタデータが付与されたＤＢ（以下、「メタデータ付ＤＢ」と記す）７０、及び情報提示部８０から構成される。
【００１６】
図４は、本発明の一実施の形態における動作のフローチャートである。
【００１７】
キーワード入力部１０は、音声によるキーワードの入力を受け付ける（ステップ１０１）。
【００１８】
音声認識部２０は、入力された音声を音声辞書等の音声を認識するための情報が格納された音声認識ＤＢ３０を参照して、発話されたキーワードをテキスト化し、テキストメモリ２１に格納する（ステップ１０２）。
【００１９】
音声分析部４０は、入力された音声から利用者情報ＤＢ５０を参照して利用者情報を抽出し、利用者情報メモリ４１に格納する（ステップ１０３）。音声分析部４０で抽出する内容は、性別、年代、感情、周囲の状況等多種考えられ、音声をどのように分析するか、何を抽出するかについてはその分析方法は特に問わないが、例えば、性別、年齢別等に区分された複数種の音響モデルを用いて分析する方法がある。
【００２０】
なお、ステップ１０２とステップ１０３は同時に行うものとする。
【００２１】
メタデータによる情報検索部６０は、テキストメモリ２１からキーワードを、利用者情報メモリ４１から利用者情報を読み込んで、予め、属性等のメタデータが付与されたメタデータ付ＤＢ７０から既存技術による情報検索処理を行う。このとき、テキストメモリ２１から取得したキーワードと、利用者情報メモリ４１から取得した利用者情報とを、ＡＮＤ条件、またはＯＲ条件によりメタデータ付ＤＢ７０を検索する（ステップ１０４）。
【００２２】
情報提示部８０は、情報検索部６０により検索された結果を取得して、表示装置等に出力する（ステップ１０５）。
【００２３】
以下に、上記の構成における具体例を示す。
【００２４】
図５は、本発明を広告配信装置に適用した例を示す図である。
【００２５】
音声入力部１０から音声が入力されると、音声認識部２０は、入力された音声に基づいて音声認識ＤＢ３０を検索して、キーワードを抽出する。Ｗｅｂ検索部１１０は、抽出されたキーワードからＷｅｂ情報（Ｗｅｂサイト）を検索することにより、Ｗｅｂ情報を取得する。その一方で、音声分析部４０は、音声分析処理により、利用者情報を抽出する。広告検索部６０は、音声認識部２０で抽出されたキーワードと、音声分析部４０で抽出された利用者情報を用いてメタデータが付与された広告ＤＢ７０から広告を取得する。広告提示部８０は、広告を、Ｗｅｂ情報提示部１３０は、Ｗｅｂサイトを検索した結果をユーザの表示手段に提示する。
【００２６】
この処理により、ユーザは、検索したい情報と自分の利用者情報にあった広告を受け取ることが可能となる。
【００２７】
また、上記の図３、図５に示す構成要素の動作をプログラムとして構築し、情報提供装置として利用されるコンピュータにインストールし、実行させる、または、ネットワークを介して流通させることが可能である。
【００２８】
また、構築されたプログラムをハードディスクや、フレキシブルディスク・ＣＤ−ＲＯＭ等の可搬記憶媒体に格納し、コンピュータにインストールする、または、配布することが可能である。
【００２９】
なお、本発明は、上記の実施の形態に限定されることなく、特許請求の範囲内において種々変更・応用が可能である。
【産業上の利用可能性】
【００３０】
本発明は、検索式による情報検索や、広告情報を検索する技術に適用可能である。
【図面の簡単な説明】
【００３１】
【図１】本発明の原理を説明するための図である。
【図２】本発明の原理構成図である。
【図３】本発明の一実施の形態における情報提供装置の構成図である。
【図４】本発明の一実施の形態における動作のフローチャートである。
【図５】本発明を広告配信装置に適用した例である。
【図６】従来技術の検索装置の構成図である。
【符号の説明】
【００３２】
１０  キーワード入力手段、キーワード入力部
２０  発話内容テキスト化手段、音声認識部
３０  音声認識データベース
４０  利用者情報抽出手段、音声分析部
５０  利用者情報データベース
６０  情報検索手段、情報検索部
７０  メタデータ付データベース、メタデータ付与データベース
８０  検索結果提示手段、情報提示部
１１０  Ｗｅｂ検索部
１２０  Ｗｅｂ情報
１３０  Ｗｅｂ情報提示部
【図１】
2009271785.tif 000003
【図２】
2009271785.tif 000004
【図３】
2009271785.tif 000005
【図４】
2009271785.tif 000006
【図５】
2009271785.tif 000007
【図６】
2009271785.tif 000008